【手続補正書】
【提出日】平成27年7月17日(2015.7.17)
【手続補正１】
【補正対象書類名】明細書
【補正対象項目名】発明の名称
【補正方法】変更
【補正の内容】
【発明の名称】画像処理装置およびインクジェット記録方法
【手続補正２】
【補正対象書類名】明細書
【補正対象項目名】０００１
【補正方法】変更
【補正の内容】
【０００１】
本発明は、画像処理装置およびその記録方法に関し、詳しくは、色材を実質的に含まないいわゆるクリアインクを用いて記録画像におけるブロンズ現象を抑制する技術に関するものである。
【手続補正３】
【補正対象書類名】明細書
【補正対象項目名】００１０
【補正方法】変更
【補正の内容】
【００１０】
本発明の目的は、モノクロ画像記録について高いレベルでブロンズ現象を抑制するなど、種々の画像あるいは記録モードそれぞれに適切に対応してブロンズ現象を抑制することが可能な画像処理装置およびその方法を提供することである。
【手続補正４】
【補正対象書類名】明細書
【補正対象項目名】００１１
【補正方法】変更
【補正の内容】
【００１１】
そのために本発明では、色材を含んだ色材インクとクリアインクを記録媒体に吐出する記録ヘッドを用いて、第１記録モードと第２記録モードの記録動作を行うことによって、記録媒体の単位領域に画像を形成するための画像処理装置であって、前記第１記録モードおよび前記第２記録モードを含む複数の記録モードを設定する設定手段と、色材インクの使用量と、前記単位領域への前記使用量の前記色材インクの付与が完了する前に前記単位領域へのクリアインクの付与を開始する記録動作における前記クリアインクの使用量である第１使用量と、前記単位領域への前記使用量の前記色材インクの付与が完了した後に前記単位領域へのクリアインクの付与を開始する記録動作における前記クリアインクの使用量である第２使用量と、を、前記設定手段によって設定された記録モードに応じた画像の色を表す画像データに基いて決定する決定手段と、を具え、前記決定手段は、前記第１記録モードの画像データに基いて決定された、前記第２使用量に対する、中間調画像の色を表す画像データに基いて決定された前記第１使用量の比率が、第２記録モードの場合の前記比率と異なるように、前記第１使用量および前記第２使用量を決定することを特徴とする。
【手続補正５】
【補正対象書類名】特許請求の範囲
【補正対象項目名】全文
【補正方法】変更
【補正の内容】
【特許請求の範囲】
【請求項１】
色材を含んだ色材インクとクリアインクを記録媒体に吐出する記録ヘッドを用いて、第１記録モードと第２記録モードの記録動作を行うことによって、記録媒体の単位領域に画像を形成するための画像処理装置であって、
前記第１記録モードおよび前記第２記録モードを含む複数の記録モードを設定する設定手段と、
色材インクの使用量と、前記単位領域への前記使用量の前記色材インクの付与が完了する前に前記単位領域へのクリアインクの付与を開始する記録動作における前記クリアインクの使用量である第１使用量と、前記単位領域への前記使用量の前記色材インクの付与が完了した後に前記単位領域へのクリアインクの付与を開始する記録動作における前記クリアインクの使用量である第２使用量と、を、前記設定手段によって設定された記録モードに応じた画像の色を表す画像データに基いて決定する決定手段と、
を具え、
前記決定手段は、前記第１記録モードの画像データに基いて決定された、前記第２使用量に対する、中間調画像の色を表す画像データに基いて決定された前記第１使用量の比率が、第２記録モードの場合の前記比率と異なるように、前記第１使用量および前記第２使用量を決定することを特徴とする画像処理装置。
【請求項２】
前記第１記録モードはカラーモードであり、第２記録モードはモノクロモードであることを特徴とする請求項１に記載の画像処理装置。
【請求項３】
前記第２記録モードの場合の前記比率が、前記第１記録モードの場合の前記比率より大きいことを特徴とする請求項１または２に記載の画像処理装置。
【請求項４】
色材を含んだ色材インクとクリアインクを記録媒体に吐出する記録ヘッドを用いて、第１記録モードと第２記録モードの記録動作を行うことによって、記録媒体の単位領域に画像を形成するための画像処理方法であって、
色材インクの使用量と、前記単位領域への前記使用量の前記色材インクの付与が完了する前に前記単位領域へのクリアインクの付与を開始する記録動作における前記クリアインクの使用量である第１使用量と、前記単位領域への前記使用量の前記色材インクの付与が完了した後に前記単位領域へのクリアインクの付与を開始する記録動作における前記クリアインクの使用量である第２使用量と、を、画像の色を表す画像データに基いて決定する決定工程
を具え、
前記決定工程では、前記第１記録モードが実行される場合の画像データに基いて決定された、前記第２使用量に対する、中間調画像の色を表す画像データに基いて決定された前記第１使用量の比率が、第２記録モードが実行される場合の前記比率と異なるように、前記第１使用量および前記第２使用量を決定することを特徴とする画像処理方法。
【請求項５】
前記第１記録モードはカラーモードであり、第２記録モードはモノクロモードであることを特徴とする請求項４に記載の画像処理方法。
【請求項６】
前記第２記録モードの場合の前記比率が、前記第１記録モードの場合の前記比率より大きいことを特徴とする請求項４または５に記載の画像処理方法。
【請求項７】
色材を含んだ色材インクとクリアインクを記録媒体に吐出する記録ヘッドを用いて、第１記録モードと第２記録モードの記録動作を行うことによって、記録媒体の単位領域に画像を形成するための画像処理装置であって、
カラーモードである前記第１記録モードおよびモノクロモードである前記第２記録モードを含む複数の記録モードを設定する設定手段と、
前記設定手段によって前記第２記録モードが設定された場合、色材インクの使用量と、前記単位領域への前記使用量の前記色材インクの付与が完了する前に前記単位領域へのクリアインクの付与を開始する記録動作における前記クリアインクの使用量である第１使用量と、前記単位領域への前記使用量の前記色材インクの付与が完了した後に前記単位領域へのクリアインクの付与を開始する記録動作における前記クリアインクの使用量である第２使用量と、を、画像の色を表す画像データに基いて決定する決定手段と、
を具え、
前記決定手段は、画像データによって規定される、白からブラックへの階調を表すグレーラインに関して、中間調から、前記第１使用量が減少し、前記第２使用量が増加し、所定の階調より白側では、前記第１使用量が前記第２使用量より多く、前記所定の階調よりブラック側では、前記第２使用量が前記第１使用量より多くなるように、前記第２記録モードの前記第１使用量および記第２使用量を決定することを特徴とする画像処理装置。
【請求項８】
前記第１記録モードおよび前記第２記録モードのそれぞれの記録動作は、記録ヘッドによって記録媒体を走査する動作であり、前記第１使用量は、記録ヘッドが色材インクを吐出して記録を行うための、前記記録ヘッドの記録媒体に対する走査と同じ走査で使用されるクリアインクの使用量であり、前記第２使用量は、記録ヘッドが色材インクを吐出して記録を行うための、前記記録ヘッドの記録媒体に対する最後の走査より後の走査で使用されるクリアインクの使用量である、ことを特徴とする請求項１から３および請求項７のいずれか１項に記載の画像処理装置。
【請求項９】
前記記録ヘッドは、色材インクを吐出する複数のノズルが、前記記録ヘッドによる走査方向と交差する所定方向に配列された第１ノズル列と、クリアインクを吐出する複数のノズルが、前記所定方向に配列された第２ノズル列と、を備え、前記第１ノズル列と前記第２ノズル列とは前記走査方向に並んでいることを特徴とする請求項８に記載の画像処理装置。
【請求項１０】
前記記録媒体は前記所定方向に搬送され、色材インクは、前記第１ノズル列の一部の第１の範囲から吐出され、前記第２使用量によるクリアインクは、前記第２ノズル列の一部の第２の範囲から吐出され、前記記録媒体の搬送方向において、前記ノズルの第２の範囲は前記ノズルの第１の範囲より下流側に位置することを特徴とする請求項９に記載の画像処理装置。
【請求項１１】
前記第１使用量によるクリアインクは、前記第２ノズル列の、前記第１の範囲に対応する範囲から吐出されることを特徴とする請求項１０に記載の画像処理装置。
【請求項１２】
白からブラックへの階調を表すグレーラインについて、前記第２記録モードの場合の前記比率が、前記第１記録モードの場合の前記比率より大きいことを特徴とする請求項１から３および請求項７から１１のいずれか１項に記載の画像処理装置。
【請求項１３】
前記記録ヘッドをさらに具えることを特徴とする請求項１から３および請求項７から１２のいずれか１項に記載の画像処理装置。
【請求項１４】
前記クリアインクは色材を含まないことを特徴とする請求項１から３および請求項７から１３のいずれか１項に記載の画像処理装置。
【請求項１５】
前記色材インクが含む色材は顔料であることを特徴とする請求項１から３および請求項７から１４のいずれか１項に記載の画像処理装置。
【請求項１６】
前記画像データはＲＧＢデータであることを特徴とする請求項１から３および請求項７から１５のいずれか１項に記載の画像処理装置。